(57)【要約】【課題】画像表示パネルの動作を制御する回路基板を冷却することが可能であって、且つ、該回路基板が破損し難い画像表示装置を提供する。【解決手段】本発明に係る画像表示装置は、画像表示パネル２を収容する収容室５と、画像表示パネル２の動作を制御する回路基板22を収容する第２の収容室６と、第２の収容室６を形成する背面壁62の背面に設けられた放熱手段とを具える。【選択図】図２
2011053356.tif 000002
【特許請求の範囲】
【請求項１】
画像表示パネルを収容する収容室と、
前記画像表示パネルの動作を制御する回路基板を収容する第２の収容室と、
前記第２の収容室の背面壁の背面に設けられた放熱手段
とを具える画像表示装置。
【請求項２】
前記第２の収容室の背面壁の背面には、該背面に沿って延びる通気路が形成されると共に、該通気路内の空気を外部に排出する送風装置が配備されており、前記放熱手段は、前記通気路内に設けられている請求項１に記載の画像表示装置。
【請求項３】
前記放熱手段は、放熱フィンから構成されている請求項１又は請求項２に記載の画像表示装置。
【発明の詳細な説明】
【技術分野】
【０００１】
本発明は、画像表示パネルを具えた画像表示装置に関する。
【背景技術】
【０００２】
従来の画像表示装置は、その殆どが屋内に設置することを前提として設計されたものであり（例えば特許文献１参照）、該画像表示装置には、画像表示パネル等の画像表示部や画像表示部の動作を制御する回路基板等を風雨やダスト等から保護する対策が施されていなかった。このため、従来の画像表示装置は、屋外に常設することが困難であった。
【０００３】
近年、平面型の画像表示パネルを具えた画像表示装置を屋外に常設することが望まれている。その理由として、該画像表示装置はその厚さ寸法が小さいこと等が挙げられる。厚さ寸法が小さいと、狭い場所への画像表示装置の設置が可能となる。
【先行技術文献】
【特許文献】
【０００４】
【特許文献１】特開２００５−２８６９８７号公報
【発明の概要】
【発明が解決しようとする課題】
【０００５】
上記画像表示装置の屋外への常設を可能にするべく、筐体の内部に、防水構造を有する収容室を形成し、該収容室に画像表示パネルと回路基板とを収容することが考えられる。
【０００６】
しかしながら、画像表示パネルと回路基板とを同じ１つの収容室に収容すると、画像表示パネルと回路基板とから生じる熱により、収容室内の温度が上昇し易くなる。このため、画像表示パネルの温度が上昇して該画像表示パネルの機能が低下し、その結果、画像表示が不能になる虞がある。又、回路基板の温度が上昇して該回路基板が破損する虞がある。
【０００７】
これに対し、収容室の外部に回路基板を配備した画像表示装置、例えば収容室を形成する背面壁の背面側に回路基板を配備した画像表示装置によれば、収容室内で発生する熱量が、回路基板から生じる熱量の分だけ削減されるので、収容室内の温度上昇が抑制されることになる。しかし、この構成においては、防水構造を有する収容室の外部に回路基板が配置されるため、画像表示装置を屋外に常設した場合、回路基板が風雨やダスト等に晒されて回路基板が破損する虞がある。
【０００８】
そこで本発明の目的は、画像表示パネルの動作を制御する回路基板を冷却することが可能であって、且つ、該回路基板が破損し難い画像表示装置を提供することである。
【課題を解決するための手段】
【０００９】
本発明に係る画像表示装置は、画像表示パネルを収容する収容室と、前記画像表示パネルの動作を制御する回路基板を収容する第２の収容室と、前記第２の収容室を形成する背面壁の背面に設けられた放熱手段とを具える。
【００１０】
上記画像表示装置においては、防水構造を有する第２の収容室に回路基板が収容されるので、画像表示装置が屋外に設置された場合でも、回路基板は風雨やダスト等から保護されることになる。
一方、防水構造を有する第２の収容室内には、回路基板から生じる熱が溜まり易く、従って、第２の収容室内の温度は上昇し易い。ここで、上記画像表示装置においては、第２の収容室を形成する背面壁の背面に放熱手段が設けられているので、第２の収容室内の熱は、放熱手段を通じて第２の収容室の外部へ発散されることになる。よって、第２の収容室内の温度上昇が抑制され、その結果、熱による回路基板の破損が防止されることになる。
【００１１】
上記画像表示装置の具体的構成において、前記第２の収容室を形成する背面壁の背面には、該背面に沿って延びる通気路が形成されると共に、該通気路内の空気を外部に排出する送風装置が配備されており、前記放熱手段は、前記通気路内に設けられている。
該具体的構成によれば、通気路内の空気と放熱手段との間の熱交換により放熱手段から通気路内に発散された熱は、通気路内を流れる空気を媒体として効率良く外部に排出されることになる。よって、放熱手段の冷却効率が向上し、その結果、第２の収容室内の温度は低下し易い。
【００１２】
上記画像表示装置の他の具体的構成において、前記放熱手段は、放熱フィンから構成されている。
【発明の効果】
【００１３】
本発明に係る画像表示装置は、画像表示パネルの動作を制御する回路基板を冷却することが可能であって、且つ、該回路基板が破損し難い。
【図面の簡単な説明】
【００１４】
【図１】図１は、本発明の一実施形態に係る画像表示装置を前面側から見た斜視図である。
【図２】図２は、上記画像表示装置の鉛直断面図である。
【図３】図３は、上記画像表示装置が具える通気路及び放熱フィンを、画像表示装置の背面側上方から見た斜視図である。
【図４】図４は、該放熱フィンを示す斜視図である。
【発明を実施するための形態】
【００１５】
以下、本発明の実施の形態につき、図面に沿って具体的に説明する。
図１に示す様に、本発明の一実施形態に係る画像表示装置は、筐体(１)と、筐体(１)内に配備されている液晶表示パネル(２)と、筐体(１)を支持するキャスタ付き支持台(３)と、冷却装置(４)とを具えている。液晶表示パネル(２)は、画像表示用の光源として発光ダイオード（ＬＥＤ）を有している。
【００１６】
図２に示す様に、筐体(１)の内部には、防水構造を有する収容室(５)と、防水構造を有する第２の収容室(６)とが形成されている。収容室(５)を形成する前面壁(51)は、筐体(１)を構成する前面壁(11)により構成されており、該前面壁(11)は、光透過性を有する材質、例えばガラス材から形成されている。一方、収容室(５)を形成する上面壁、下面壁、両側面壁及び背面壁は、アルミニウム等の金属から形成されている。
【００１７】
収容室(５)には、液晶表示パネル(２)が、その画面(21)を筐体(１)の前面壁(11)（収容室(５)を形成する前面壁(51)）に向けて収容されている。斯くして、筐体(１)の前面壁(11)の内、液晶表示パネル(２)の画面(21)と対向する部分により、筐体(１)の外部からの画面(21)の視認を可能にする画像表示窓が構成されている。
【００１８】
第２の収容室(６)は、収容室(５)を形成する背面壁(52)の背面側に配備されている。ここで、第２の収容室(６)を形成する前面壁(61)は、収容室(５)を形成する背面壁(52)により構成されている。第２の収容室(６)を形成する上面壁、下面壁、両側面壁及び背面壁は、アルミニウム等の金属から形成されている。
【００１９】
第２の収容室(６)には、液晶表示パネル(２)の動作を制御する回路基板(22)が収容されており、該回路基板(22)は、第２の収容室(６)を形成する前面壁(61)（収容室(５)を形成する背面壁(52)）の背面に取り付けられている。
【００２０】
第２の収容室(６)を形成する背面壁(62)の背面には、該背面を覆うカバー部材(80)が取り付けられており、第２の収容室(６)を形成する背面壁(62)とカバー部材(80)とによって、それらの間を該背面壁(62)の背面に沿って上下に通過する通気路(８)が形成されている。
【００２１】
図３に示す様に、通気路(８)内には複数の放熱フィン(７)〜(７)が配備されており、各放熱フィン(７)は、図４に示す様に、第２の収容室(６)を形成する背面壁(62)の背面に設けられると共に、該背面壁(62)に沿って上下に延びている。従って、各放熱フィン(７)と通気路(８)内の空気との間の熱交換により、第２の収容室(６)内の熱は、複数の放熱フィン(７)〜(７)を通じて通気路(８)内へ発散されることになる。
【００２２】
図２に示す様に、第２の収容室(６)を形成する背面壁(62)の背面には更に、カバー部材(80)により覆われた領域の上側と下側に一対の送風装置(81)(82)が配備され、下側の送風装置(81)は通気路(８)の下側の通気口に向けられる一方、上側の送風装置(82)は通気路(８)の上側の通気口とは逆側に向けられている。従って、図２において実線矢印によって示す様に、下側の送風装置(81)により通気路(８)内に空気が吸入されると共に、上側の送風装置(82)により通気路(８)内の空気が排出されて、通気路（８）内には上方に向かう空気の流れが形成されることになる。
【００２３】
冷却装置(４)は、収容室(５)内の熱を回収する装置であり、収容室(５)の下方位置に配備されると共に収容室(５)に連結されている。具体的には、冷却装置(４)は、収容室(５)内の熱を回収する蒸発器と、該蒸発器により回収された熱を収容室(５)の外部に排出する凝縮器とを具え、蒸発器と凝縮器とは、冷媒が流れる配管によって互いに連結されている。
又、冷却装置(４)は、蒸発器から凝縮器へ流れる冷媒を圧縮する圧縮機を具えている。従って、凝縮器には高温且つ高圧の冷媒が流れ込むことになる。よって、蒸発器によって回収された熱は、凝縮器により効率良く排出される。
【００２４】
上記画像表示装置においては、防水構造を有する収容室(５)に液晶表示パネル(２)が収容され、防水構造を有する第２の収容室(６)に回路基板(22)が収容されている。従って、液晶表示パネル(２)及び回路基板(22)は外気に接し難い。よって、画像表示装置が屋外に設置された場合でも、液晶表示パネル(２)及び回路基板(22)は風雨やダスト等から保護されることになる。
【００２５】
一方、防水構造を有する収容室(５)内には、液晶表示パネル(２)から生じる熱が溜まり易く、従って、収容室(５)内の温度は上昇し易い。ここで、上記画像表示装置には冷却装置(４)が設けられており、収容室(５)内の熱は冷却装置(４)により回収される。よって、収容室(５)内の温度上昇が抑制され、その結果、液晶表示パネル(２)の温度上昇が抑制されて、液晶表示パネル(２)の機能は正常な状態に維持される。
【００２６】
又、防水構造を有する第２の収容室(６)内には、回路基板(22)から生じる熱が溜まり易く、従って、第２の収容室(６)内の温度は上昇し易い。ここで、上記画像表示装置においては、第２の収容室(６)内の熱が放熱フィン(７)を通じて通気路(８)内へ発散される。よって、第２の収容室(６)内の温度上昇が抑制され、その結果、熱による回路基板(22)の破損が防止される。
【００２７】
更に、上記画像表示装置においては、一対の送風装置(81)(82)によって通気路(８)内に空気の流れが形成されている。又、通気路(８)内の空気は上方に向かって流れるので、熱によって温まった空気は上昇するという空気の性質と相俟って、通気路(８)内の空気は、効率良く通気路(８)から外部に排出されることになる。
従って、通気路(８)内に発散された熱は、通気路(８)内を流れる空気を媒体として効率良く外部に排出される。よって、各放熱フィン(７)の冷却効率は高く、その結果、第２の収容室(６)内の温度は低下し易い。
【００２８】
上記画像表示装置において、冷却装置(４)は、液晶表示パネル(２)の冷却と回路基板(22)の冷却とに兼用されてもよい。例えば、冷却装置(４)を用いて、第２の収容室(６)内の回路基板(22)を該第２の収容室(６)の下方から冷却する構成が考えられる。又、冷却装置(４)により回路基板(22)を冷却するべく、回路基板(22)を収容室(５)内に配備した構成が考えられる。
【００２９】
しかし、上記画像表示装置の如く、液晶表示パネル(２)の画像表示用の光源として、ランプ（例えば、ＣＣＦＬや超高圧水銀ランプ）に替えてＬＥＤが用いられている場合、冷却装置(４)により、液晶表示パネル(２)の液晶シャッタや偏光板等を冷却するのみならず、光源であるＬＥＤをも冷却する必要がある。よって、上記画像表示装置では、冷却装置(４)によって液晶表示パネル(２)のみを冷却し、冷却装置(４)とは別の冷却手段により回路基板(22)を冷却する構成が採用されている。
【００３０】
尚、本発明の各部構成は上記実施形態に限らず、特許請求の範囲に記載の技術的範囲内で種々の変形が可能である。
上記実施形態においては、第２の収容室(６)を形成する前面壁(61)が、収容室(５)を形成する背面壁(52)によって構成されているが、本発明はこれに限られるものではない。第２の収容室(６)を形成する前面壁(61)は、収容室(５)を形成する背面壁(52)とは別の壁面構成部材により構成されていてもよい。この場合、第２の収容室(６)を形成する前面壁(61)は、収容室(５)を形成する背面壁(52)から背面側に離間して配置されてもよい。
【００３１】
上記実施形態においては、第２の収容室(６)を形成する背面壁(62)の背面には放熱フィン(７)が設けられているが、本発明にはこれに限定されるものではない。放熱フィン(７)に替えて種々の放熱手段を、第２の収容室(６)を形成する背面壁(62)の背面に設けることが出来る。
【００３２】
上記実施形態においては、第２の収容室(６)を形成する背面壁(62)の背面に設けられている送風装置の数は２つであるが、本発明はこれに限られるものではない。該背面壁(62)の背面に設ける送風装置の数は、１つであってもよく、或いは、２つ以外の複数であってもよい。
【００３３】
又、上記実施形態においては、送風装置(81)(82)は、第２の収容室(６)を形成する背面壁(62)の背面の内、カバー部材(80)により覆われた領域の上側と下側に設けられている。即ち、送風装置(81)(82)は、通気路(８)の外部に設けられている。しかし、本発明はこれに限られるものではなく、送風装置は、通気路(８)内に設けられてもよい。
【００３４】
上記実施形態においては、第２の収容室(６)を形成する背面壁(62)の背面に、通気路(８)が形成されると共に送風装置(81)(82)が設けられている。しかし、通気路(８)及び送風装置(81)(82)がなくても放熱フィン(７)において高い冷却効率が得られる場合には、上記画像表示装置を、通気路(８)及び送風装置(81)(82)がない構成としてもよい。
【００３５】
更に、上記画像表示装置に採用した各種構成は、液晶表示パネル(２)を具えた画像表示装置に限らず、プラズマ表示パネルや有機ＥＬ（Electro-Luminescence）表示パネル等、種々の画像表示パネルを具えた画像表示装置に適用することが出来る。尚、光源は、ＬＥＤ以外のランプ等であってもよい。
【符号の説明】
【００３６】
(１)  筐体
(２)  液晶表示パネル(画像表示パネル)
(21)  画面
(22)  回路基板
(５)  収容室
(51)  収容室を形成する前面壁
(52)  収容室を形成する背面壁
(６)  第２の収容室
(61)  第２の収容室を形成する前面壁
(62)  第２の収容室を形成する背面壁
(７)  放熱フィン（放熱手段）
(８)  通気路
(81)(82)  送風装置
【図１】
2011053356.tif 000003
【図２】
2011053356.tif 000004
【図３】
2011053356.tif 000005
【図４】
2011053356.tif 000006